(57)【特許請求の範囲】
【請求項１】
光源と点灯回路とを備える照明器具と、前記照明器具に対して調光信号線を介して調光信号を送信する調光装置と、を備える照明調光システムにおいて、
前記照明器具は、
照明器具の異常の種類に応じて異なった動作インターバルを規定するテーブルと、
自照明器具の異常が検出されたときに、前記テーブルを参照して照明器具の異常の種類に応じた動作インターバルで前記調光信号線を短絡及び開放するスイッチ部と、を備え、
前記調光装置は、
前記スイッチ部によるインターバルを持った第１の短絡と、それに続く第２の短絡との間に送信される調光信号の回数をカウントするカウンタ部と、
前記カウンタ部によってカウントされる調光信号の送信回数に基づいて照明器具の異常の種類を判別する判別部と、を備え、
前記調光信号線を用いて照明器具の異常の種類を把握可能とすることを特徴とする照明調光システム。
【請求項２】
前記調光装置は、送出した調光信号が立ち上がらないことを検出することによって前記スイッチ部による調光信号線間の短絡を認識することを特徴とする請求項１に記載の照明調光システム。
【請求項３】
前記照明器具は、前記スイッチ部によって短絡される調光信号線間の短絡路に抵抗部を有し、
前記調光装置は、送出した調光信号の立ち上がりのタイミングにおいて前記抵抗部に電流が流れることを検出することによって前記スイッチ部による調光信号線間の短絡を認識することを特徴とする請求項１に記載の照明調光システム。
【請求項４】
前記照明器具は、前記スイッチ部によって短絡される調光信号線間の短絡路にコンデンサ部を有し、
前記調光装置は、送出した調光信号が予め定められた電位になるまでの時間が変動することを検出することによって前記スイッチ部による調光信号線間の短絡を認識することを特徴とする請求項１に記載の照明調光システム。
【発明の詳細な説明】
【技術分野】
【０００１】
本発明は、照明調光システムに関し、詳しくは、照明器具と該照明器具に調光信号線を介して調光信号を送信する調光装置とを備える照明調光システムに関する。
【背景技術】
【０００２】
従来から、照明器具が調光信号線を介して調光コントローラに接続され、調光信号線を介して調光コントローラから送信される調光信号によって調光制御される照明システムが知られている（例えば、特許文献１参照）。同特許文献１に記載の照明システムでは、照明器具に備えられた検知手段がランプ寿命を検知したときに照明器具が調光信号線を短絡し、調光信号線が短絡されることによって調光コントローラによる制御が不能になり、ユーザが間接的に照明器具のランプが寿命に近づいたことを知るようにしている。
【特許文献１】特開２００６−２３６６６９号公報
【発明の開示】
【発明が解決しようとする課題】
【０００３】
特許文献１に記載の照明システムでは、調光信号線が短絡されることによって照明器具のランプが寿命に近づいたという情報がユーザに伝達されるので、照明器具側において検知された情報を調光コントローラ側へ伝達するための新たな信号線が不要であるが、調光信号線を短絡するか否かによって情報を伝達するので、伝達できる情報は１種類に限られるし、調光信号線が一旦短絡されると以降において調光コントローラによる制御不能状態が継続する。
【０００４】
そこで、本発明は、照明器具と、該照明器具に調光信号線を介して調光信号を送信する調光装置とを備える照明調光システムにおいて、新たな信号線の敷設の必要なく、調光信号線を用いて照明器具側に生じる異常の種類を把握することができる照明調光システムを提供することを目的とする。
【課題を解決するための手段】
【０００５】
上記目的を達成するために、請求項１の発明は、光源と点灯回路とを備える照明器具と、前記照明器具に対して調光信号線を介して調光信号を送信する調光装置と、を備える照明調光システムにおいて、前記照明器具は、照明器具の異常の種類に応じて異なった動作インターバルを規定するテーブルと、自照明器具の異常が検出されたときに、前記テーブルを参照して照明器具の異常の種類に応じた動作インターバルで前記調光信号線を短絡及び開放するスイッチ部と、を備え、前記調光装置は、前記スイッチ部によるインターバルを持った第１の短絡と、それに続く第２の短絡との間に送信される調光信号の回数をカウントするカウンタ部と、前記カウンタ部によってカウントされる調光信号の送信回数に基づいて照明器具の異常の種類を判別する判別部と、を備え、前記調光信号線を用いて照明器具の異常の種類を把握可能とすることを特徴とする。
【０００６】
請求項２の発明は、請求項１に記載の照明調光システムにおいて、前記調光装置は、送出した調光信号が立ち上がらないことを検出することによって前記スイッチ部による調光信号線間の短絡を認識することを特徴とする。
【０００７】
請求項３の発明は、請求項１に記載の照明調光システムにおいて、前記照明器具は、前記スイッチ部によって短絡される調光信号線間の短絡路に抵抗部を有し、前記調光装置は、送出した調光信号の立ち上がりのタイミングにおいて前記抵抗部に電流が流れることを検出することによって前記スイッチ部による調光信号線間の短絡を認識することを特徴とする。
【０００８】
請求項４の発明は、請求項１に記載の照明調光システムにおいて、前記照明器具は、前記スイッチ部によって短絡される調光信号線間の短絡路にコンデンサ部を有し、前記調光装置は、送出した調光信号が予め定められた電位になるまでの時間が変動することを検出することによって前記スイッチ部による調光信号線間の短絡を認識することを特徴とする。
【発明の効果】
【０００９】
請求項１の発明によれば、照明器具の異常の種類に応じた動作インターバルで調光信号線が短絡され、それらの短絡のうち第１の短絡と第２の短絡との間の調光信号の回数に基づいて異常の種類を判別するので、新たな信号線を必要とすることなく、低コストに照明器具側に生じる異常の種類を調光装置側で把握することができる。
【００１０】
請求項２の発明によれば、調光信号が立ち上がらないことを検出することによって短絡を認識するので、照明器具に備えられる調光信号線を短絡するための構成を簡素化できる。
【００１１】
請求項３の発明によれば、調光信号線間に設けられた抵抗部に電流が流れることによって短絡を認識するので、調光信号線間が直接短絡される構成に比べて照明器具及び調光装置にかかる負荷が軽減される。
【００１２】
請求項４の発明によれば、調光信号が予め定められた電位になるまでの時間が変動することによって短絡を認識するので、調光信号線間が直接短絡される構成に比べて照明器具及び調光装置にかかる負荷が軽減される。
【発明を実施するための最良の形態】
【００１３】
（第１の実施形態）
以下、本発明の第１の実施形態に係る照明調光システムについて、図１乃至図１０を参照して説明する。本実施形態の照明調光システム１は、図１に示されるように、４系統の調光信号線Ｌ１、Ｌ２、Ｌ３、Ｌ４に対して調光信号Ｓを送信する調光装置２と、ユーザが操作して調光装置２に対して操作信号を出力するリモコン３と、各調光信号線Ｌ１、Ｌ２、Ｌ３、Ｌ４にそれぞれ接続された蛍光灯照明器具Ｆａ、Ｆｂ、白熱灯照明器具Ｒ、及びＬＥＤ照明器具Ｅとを備える。
【００１４】
調光信号Ｓは、ＰＷＭ（Ｐｕｌｓｅ  Ｗｉｄｔｈ  Ｍｏｄｕｌａｔｉｏｎ）信号であり、図２に示されるように、オン時間ｔｏｎとオフ時間ｔｏｆｆが一定の周期Ｔで繰り返され、オン時間ｔｏｎの電圧Ｖを有する信号である。周期Ｔに対するオン時間ｔｏｎの割合がオンデューティである。
【００１５】
調光信号線Ｌ１、Ｌ２、Ｌ３、Ｌ４は、図１では１本の線に示されているが、実際には並行した２本の線から構成される。各照明器具Ｆａ、Ｆｂ、Ｒ、Ｅは、それぞれ光源としての蛍光灯、白熱灯、ＬＥＤと、それらの点灯回路を備え、入力される調光信号Ｓのオンデューティに応じた光出力で点灯する。例えば、図３に示されるように、蛍光灯光源と白熱灯光源は、調光信号Ｓのオンデューティの増加に対してほぼ反比例して光出力が減少し、ＬＥＤ光源は調光信号Ｓのオンデューティの増加に対して指数関数状に光出力が増加するように制御される。なお、蛍光灯照明器具Ｆａ、Ｆｂ、白熱灯照明器具Ｒ、及びＬＥＤ照明器具Ｅは、各調光信号線Ｌ１、Ｌ２、Ｌ３、Ｌ４に対して、それぞれ複数台が並列に接続されてもよい。
【００１６】
調光装置２は、商用電源２１から電源回路２２を介して所定の動作電圧を供給されるマイクロプロセッサから構成される判別部２３と、判別部２３によって制御され各調光信号線Ｌ１、Ｌ２、Ｌ３、Ｌ４に所定の調光信号Ｓを出力する調光信号駆動部２４と、各調光信号線Ｌ１、Ｌ２、Ｌ３、Ｌ４の短絡を検知する短絡検知部２５と、短絡検知部２５によって検知されたインターバルを持つ２つの短絡（第１の短絡と第２の短絡）の間に送信される調光信号Ｓの回数をカウントするカウンタ部２６と、カウンタ部２６によってカウントされた調光信号Ｓの回数に対応する照明器具の異常状態の種別を格納したテーブル２７と、リモコン３からの操作信号を受信するリモコン入力部２８と、判別部２３が判別した照明器具の異常種別を表示する液晶パネル等の報知部２９と、を備える。短絡検知部２５は、各調光信号線Ｌ１、Ｌ２、Ｌ３、Ｌ４を構成する２本の信号線間の電圧を検出することによって、短絡を検知する。なお、調光信号Ｓの回数とは、所定区間における調光信号Ｓのパルス状部分（オン時間ｔｏｎの部分）の個数を言う。
【００１７】
判別部２３は、リモコン入力部２８を介してリモコン３から適宜のコマンド（例えば、「蛍光灯照明器具Ｆａを光出力５０％で点灯する」等）を受信したときに、制御対象の照明器具Ｆａが指定された光出力（５０％）になるように、図３に示された関係に基づいて調光信号線Ｌ１の調光信号駆動部２４が適正なオンデューティ値の調光信号Ｓを出力するように制御する。また、判別部２３は、いずれかの調光信号線Ｌ１、Ｌ２、Ｌ３、Ｌ４の短絡検知部２５が短絡を検知したとき、短絡が検知された調光信号線に送出される調光信号Ｓの回数をカウンタ部２６を介して取得し、取得した調光信号Ｓの回数に対応する異常状態の種別の情報をテーブル２７を参照することによって取得して報知部２９に表示する。テーブル２７に格納された調光信号回数に対する異常状態の種別情報の例を図４に示す。判別部２３の動作の詳細については、照明器具Ｆａ、Ｆｂ、Ｒ、Ｅの制御動作と共に、後に詳述する。
【００１８】
照明器具Ｆａ、Ｆｂ、Ｒ、Ｅを代表して蛍光灯照明器具Ｆａの構成について、図５乃至図７を参照して説明する。蛍光灯照明器具Ｆａは、図５に示されるように、光源としての蛍光灯３１と、蛍光灯３１の点灯回路３２と、蛍光灯３１の状態を異常種別毎に検出する状態検出部３３と、状態検出部３３が出力する異常種別毎の状態信号ｃｓを受信して種別毎に異なった動作態様（異なったインターバル）で調光信号線Ｌ１を短絡するスイッチ部３８と、を備える。点灯回路３２は、商用電源３４からの電源の電圧、電流等を所定の値に変換する電源部３５と、電源部３５によって所定の電圧に変換された電力の発振周期を蛍光灯３１の点灯周期に変換する発振回路部３６と、発振回路部３６によって変換される発振周期を調光信号Ｓのオンデューティに応じた値に制御する発振周期制御部３７と、を備える。
【００１９】
発振周期制御部３７は、スイッチ部３８を介して調光信号線Ｌ１に接続されており、調光信号Ｓのオンデューティに応じて発振周期を変更して蛍光灯３１を所定の出力で発光させる。例えばオンデューティが９０％の調光信号Ｓが調光信号線Ｌ１を介して入力されたとき、発振周期制御部３７は、その調光信号Ｓに応じて発振回路部３６の発振周期を制御し、蛍光灯３１を約１０％の出力で発光させる。
【００２０】
状態検出部３３は、例えば、蛍光灯３１に流れるランプ電流の波形が変形したことを検出することによって蛍光灯３１のランプ寿命が近づいている状態を検出し（異常Ａ）、蛍光灯３１が正常にソケットに装着されている状態では蛍光灯３１の端子に流れる微小な電流が流れなくなったことを検出することによって蛍光灯３１のランプがソケットから外れた状態を検出する（異常Ｂ）ものであり、検出した異常の種別毎に異なった状態信号ｃｓをスイッチ部３８へ出力する。ランプ寿命を検出するための手段としては、蛍光灯３１の累積点灯時間を計測するタイマや、照度計等であってもよい。
【００２１】
スイッチ部３８は、図６に示すように、調光信号線Ｌ１に並列に接続された常時オフのトランジスタ４１と、状態検出部３３からの状態信号ｃｓをインタフェース４２を介して受信し、状態信号ｃｓに含まれた異常種別の情報に基づいてトランジスタ４１を異なった動作態様（異なったインターバル）でオンさせるマイクロプロセッサから構成される制御部４３と、調光信号線Ｌ１に流れる調光信号Ｓの立ち上がり、立ち下りを検出して制御部４３へ調光信号Ｓとの同期信号ｓｓを与える信号同期部４４と、を備える。制御部４３には、異常の種類毎に異なった動作インターバルが格納されたテーブル４５が接続されている。
【００２２】
テーブル４５に格納された異常種別に対応する動作インターバルの例を図７に示す。例えば、異常Ａ（ランプ寿命）に対して調光信号Ｓの個数に換算して０個分のインターバルが規定され、異常Ｂ（ランプ外れ）に対して調光信号Ｓの個数に換算して１個分のインターバルが規定され、・・異常Ｚに対して調光信号Ｓの個数に換算してｎ個分のインターバルが規定されている。
【００２３】
制御部４３の動作について、図８を参照して説明する。図８は、上から順に調光装置２の動作開始タイミング、状態検出部３３の状態信号ｃｓ出力タイミング、制御部４３のトランジスタオン信号ｔｓの出力タイミング、及び調光信号線Ｌ１間の電圧を示す。時刻ｔ１において調光装置２の電源が投入されると、調光装置２の調光信号駆動部２４が所定のオンデューティの調光信号Ｓの送信を開始する。時刻ｔ２において蛍光灯照明器具Ｆａの状態検出部３３が異常を検知して（例えば、異常Ｚを検出）、異常の種別に応じた状態信号ｃｓを制御部４３へ出力する。状態信号ｃｓを受信した制御部４３は、テーブル４５を参照して状態信号ｃｓ（異常種別）に対応する動作インターバル（信号個数ｎ）の情報を取得する。動作インターバルの情報を取得した制御部４３は、信号同期部４４から受信した同期信号ｓｓに基づいて調光信号線Ｌ１に流れている調光信号Ｓの電圧の立ち上がりに同期してトランジスタ４１に対してオン信号ｔｓを出力し、立ち下りに同期してトランジスタ４１をオフする動作を、取得した動作インターバルＩを持って２回（時刻ｔ３とｔ４）行う。
【００２４】
具体的には、時刻ｔ３においてトランジスタ４１がオンオフすることにより調光信号線Ｌ１が短絡及び開放される。時刻ｔ３における短絡を第１の短絡と称する。続いて、制御部４３は、信号同期部４４から受信する同期信号ｓｓに基づいて調光信号のｎ個分だけ経過した時刻ｔ４において再びトランジスタ４１をオンオフし、調光信号線Ｌ１を短絡及び開放する。時刻ｔ４における短絡を第２の短絡と称する。従って、第１の短絡と第２の短絡とは、ｎ個分の調光信号Ｓに相当するインターバルＩを持つことになる。
【００２５】
例えば、いま、状態検出部３３が異常種別Ａ（ランプ寿命）を検出した場合、制御部４３は、異常種別Ａの状態信号ｃｓを受信したときにトランジスタ４１をオンオフして調光信号線Ｌ１間を調光信号Ｓの１パルス分短絡し、異常種別Ａに対応する動作インターバル（信号個数０個）経過後に再びトランジスタ４１をオンオフして調光信号線Ｌ１間を調光信号Ｓの１パルス分短絡する。結果的に、異常種別がＡの場合には、調光信号線Ｌ１の短絡によって調光信号Ｓの連続した２つのパルス（オン時間区間）が消失される。
【００２６】
次に、調光装置２の判別部２３の動作について、異常種別がＺであり、動作インターバルＩが調光信号ｎ個である場合を例に挙げて説明する。調光装置２の動作開始後に、調光信号線Ｌ１の短絡検知部２５が時刻ｔ３において調光信号Ｓの電圧が立ち上がらないこと（図８参照）を検知すると、判別部２３は、調光信号線Ｌ１が短絡された（第１の短絡が生成された）と認識し、カウンタ部２６を介して調光信号Ｓの回数をカウント開始する。そして、判別部２３は、時刻ｔ４において短絡検知部２５から再び調光信号Ｓの電圧が立ち上がらないこと（図８参照）を検知した信号を受信すると、調光信号線Ｌ１が再び短絡された（第２の短絡が生成された）と認識し、カウンタ部２６によるカウント結果（ｎ個）を取得する。カウント結果を取得した判別部２３は、テーブル２７を参照して調光信号Ｓの回数（ｎ個）に対応する異常種別Ｚを取得し、その異常種別を報知部２９に表示する。従って、ユーザは、調光装置２の報知部２９に表示された異常の種別を見ることによって、蛍光灯照明器具Ｆａに種別Ｚの異常が生じたことを知ることができる。
【００２７】
白熱灯照明器具Ｒ及びＬＥＤ照明器具Ｅの構成は、図９及び図１０に示されるように、蛍光灯照明器具Ｆａとほぼ同様であり、異なる部分は、光源が白熱灯４１及びＬＥＤ５１であり、点灯回路３２の発振回路部３６と発振周期制御部３７が出力位相角の変換回路に構成された点である。同一の構成部分には、同一番号を付して説明を省略する。具体的には、電源部３５によって所定の電圧に変換された電力の出力位相角を、調光信号Ｓに応じた値に変換する信号変換部４３と、信号変換部４３によって変換された電力の出力部４２とを備える。信号変換部４３は、それぞれ調光信号線Ｌ３、Ｌ４を介して入力される調光信号Ｓのオンデューティに応じて出力位相角を変換して白熱灯４１、及びＬＥＤ５１を所定の出力で発光させる。
【００２８】
白熱灯照明器具Ｒ及びＬＥＤ照明器具Ｅについても、蛍光灯照明器具Ｆａと同様に、異常が生じたときには、状態検出部３３が異常の種別毎に異なった状態信号ｃｓをスイッチ部３８へ出力し、スイッチ部３８がテーブル４５を参照して種別に対応したインターバルＩを持って調光信号線Ｌ３、Ｌ４を短絡する（第１の短絡と第２の短絡を生成する）。調光装置２は、第１の短絡と第２の短絡の間に送信される調光信号Ｓの回数をカウントし、カウントされた回数に対応する異常種別をテーブル２７を参照することによって取得し、報知部２９に表示する。
【００２９】
なお、テーブル４５に規定される動作インターバルを蛍光灯照明器具Ｆａ、白熱灯照明器具Ｒ、及びＬＥＤ照明器具Ｅ毎に重複しない値に設定することにより、調光装置２の判別部２３が、取得する第１の短絡と第２の短絡の間に送信される調光信号Ｓの回数の情報（動作インターバル）に基づいて異常が生じている照明器具の種類を判別することができる。
【００３０】
具体的には、例えば、蛍光灯照明器具Ｆａのテーブル４５には、異常種別Ａ、Ｂに対するインターバル（信号個数）として０、１が規定され、白熱灯照明器具Ｒのテーブル４５には、異常種別Ａ、Ｂに対するインターバル（信号個数）として１０、１１が規定され、ＬＥＤ照明器具Ｅのテーブル４５には、異常種別Ａ、Ｂに対するインターバル（信号個数）として２０、２１が規定されるように構成する。上記のように構成することにより、調光装置２の判別部２３は、第１の短絡と第２の短絡の間に送信される調光信号Ｓの回数が０である場合には、蛍光灯照明器具Ｆａに異常Ａが生じたことを認識し、第１の短絡と第２の短絡の間に送信される調光信号Ｓの回数が１０である場合には、白熱灯照明器具Ｒに異常Ａが生じたことを認識し、第１の短絡と第２の短絡の間に送信される調光信号Ｓの回数が２０である場合には、ＬＥＤ照明器具Ｅに異常Ａが生じたことを認識する。
【００３１】
（第２の実施形態）
第２の実施形態に係る照明調光システムについて、図１１、１２を参照して説明する。第２の実施形態の照明調光システム１は、第１の実施形態の照明調光システム１とほぼ同一の構成であり、異なる点は、照明器具Ｆａ、Ｆｂ、Ｒ、Ｅのスイッチ部３８によって短絡される調光信号線Ｌ１、Ｌ２、Ｌ３、Ｌ４間の短絡路に抵抗部が備えられる点と、スイッチ部３８のトランジスタ４１がオンされると調光信号線Ｌ１、Ｌ２、Ｌ３、Ｌ４間に抵抗部の抵抗値に応じた短絡電流が流れ、調光装置２の短絡検知部２５は、上記短絡電流を検出することによって調光信号線が短絡されたことを検知する点である。
【００３２】
代表的に蛍光灯照明器具Ｆａについて、次に説明する。図１１において、第１の実施形態における蛍光灯器具Ｆａと同一構成部分には同一番号を付して説明を省略する。スイッチ部３８によって短絡される調光信号線Ｌ１間の短絡路Ｌｓに直列に抵抗部５２が備えられ、トランジスタ４１がオンすることによって調光信号線Ｌ１に抵抗部５２の抵抗値に応じた短絡電流ｉｓが流れるように構成されている。
【００３３】
第２の実施形態における調光信号線Ｌ１に流れる電流の態様について、次に説明する。図１２に示された調光装置２の電源オンのタイミング（ｔ１）、状態検出部３３による状態信号ｃｓの出力タイミング（ｔ２）、及びトランジスタ４１のオン信号ｔｓの出力タイミング（ｔ３、ｔ４）は、第１の実施形態の場合と同一であるので説明を省略する。第２の実施形態においては、第１の短絡時（ｔ３）と第２の短絡時（ｔ４）に短絡路Ｌｓに短絡電流ｉｓが流れ、第１の短絡と第２の短絡との間のインターバルＩには、第１の実施形態と同様にｎ個の調光信号Ｓが調光信号線Ｌ１に送出される（図１２における点線）。
【００３４】
第２の実施形態における調光装置２の短絡検知部２５は、２本の調光信号線Ｌ１間の電圧を計測する第１の実施形態とは異なり、調光信号線Ｌ１に流れる電流値を計測し、調光信号Ｓの立ち上がりのタイミングにおいて短絡電流ｉｓが流れることを検知したときに調光信号線Ｌ１間に短絡が生じたことを検知する。以後、第１の実施形態と同様に、調光装置２は、第１の短絡と第２の短絡間における調光信号Ｓの個数をカウンタ部２６を介して取得し、取得した調光信号Ｓの個数に対応する異常の種別をテーブル２７を参照して取得し、異常種別を報知部２９に表示する。
【００３５】
従って、本実施形態の照明調光システム１においても、ユーザは、調光装置２の報知部２９に表示された異常の種別を見ることによって、照明器具Ｆａ、Ｆｂ、Ｒ、Ｅに特定の種別の異常が生じたことを知ることができる。また、本実施形態の照明調光システム１では、短絡路Ｌｓに抵抗部５２が備えられることによって、調光信号線Ｌ１、Ｌ２、Ｌ３、Ｌ４間が短絡されたときに調光信号線に大きな電流が流れることが防止されるので、短絡路Ｌｓに抵抗部５２が挿入されていない第１の実施形態に比べて各照明器具Ｆａ、Ｆｂ、Ｒ、Ｅ、及び調光装置２にかかる負荷が軽減される。
【００３６】
（第３の実施形態）
第３の実施形態に係る照明調光システムについて、図１３乃至図１５を参照して説明する。第３の実施形態の照明調光システム１は、第１の実施形態の照明調光システム１とほぼ同一の構成であり、異なる点は、各調光信号線Ｌ１、Ｌ２、Ｌ３、Ｌ４間の短絡路Ｌｓにコンデンサ部５３が備えられる点と、スイッチ部３８のトランジスタ４１がオンされたときに該コンデンサ部５３によって調光信号線Ｌ１、Ｌ２、Ｌ３、Ｌ４に流れる調光信号Ｓの立ち上がりと立ち下りに鈍りが付与され、調光装置２の短絡検知部２５は、鈍りが付与された調光信号Ｓが所定の電位に立ち上がるまでの時間が変化することを検知することによって調光信号線Ｌ１、Ｌ２、Ｌ３、Ｌ４が短絡されたことを検知する点である。
【００３７】
代表的に蛍光灯照明器具Ｆａについて、次に説明する。図１３において、第１の実施形態における蛍光灯器具Ｆａと同一構成部分には同一番号を付して説明を省略する。スイッチ部３８によって短絡される調光信号線Ｌ１間の短絡路Ｌｓに直列にコンデンサ部５３が備えられ、トランジスタ４１がオンすることによって調光信号線Ｌ１に流れる調光信号Ｓの電流が短時間だけコンデンサ部５３に蓄積される。
【００３８】
第３の実施形態における調光信号線Ｌ１に流れる調光信号Ｓの態様について、次に説明する。図１４に示された調光装置２の電源オンのタイミング（ｔ１）、状態検出部３３による状態信号ｃｓの出力タイミング（ｔ２）、及びトランジスタ４１のオン信号ｔｓの出力タイミング（ｔ３、ｔ４）は、第１の実施形態の場合と同一であるので説明を省略する。第３の実施形態においては、第１の短絡時（ｔ３）と第２の短絡時（ｔ４）に短絡路Ｌｓのコンデンサ部５３に電荷が蓄積され、調光信号Ｓの電圧の立ち上がりと立ち下りに鈍りが付与される。また、調光信号Ｓの第１の短絡と第２の短絡との間のインターバルＩには、第１の実施形態と同様にｎ個の調光信号Ｓが調光信号線Ｌ１に送出される。
【００３９】
第３の実施形態における調光装置２の短絡検知部２５は、２本の調光信号線Ｌ１間の電圧が予め定められた電位に到達するまでの時間（到達時間）を計測し、トランジスタ４１がオフであるときの到達時間に比べて変動したときに調光信号線Ｌ１間に短絡が生じたことを検知する。以後、第１の実施形態と同様に、調光装置２は、第１の短絡と第２の短絡間における調光信号Ｓの個数をカウンタ部２６を介して取得し、取得した調光信号Ｓの個数に対応する異常の種別をテーブル２７を参照して取得し、異常種別を報知部２９に表示する。図１５に鈍りが付与された調光信号Ｓの形態を示す。ここで、予め定められた電位Ｖｓに到達するまでの時間Ｔｓは、短絡路Ｌｓにコンデンサ部５３が接続されず鈍りが付与されない場合の調光信号Ｓの到達時間に比べて長くなっており、短絡検知部２５が容易に検知することができる。
【００４０】
以上のように、本実施形態の照明調光システム１においても、ユーザは、調光装置２の報知部２９に表示された異常の種別を見ることによって、照明器具Ｆａ、Ｆｂ、Ｒ、Ｅに特定の種別の異常が生じたことを知ることができる。また、本実施形態の照明調光システム１では、短絡路Ｌｓにコンデンサ部５３が備えられることによって、調光信号線Ｌ１、Ｌ２、Ｌ３、Ｌ４間が短絡されたときに、調光信号線に大きな電流が流れることが防止されるので、短絡路Ｌｓにコンデンサ部５３が挿入されていない第１の実施形態に比べて各照明器具Ｆａ、Ｆｂ、Ｒ、Ｅ、及び調光装置２にかかる負荷が軽減される。
【図面の簡単な説明】
【００４１】
【図１】本発明の第１の実施形態に係る照明調光システムのブロック図。
【図２】同照明調光システムにおける調光信号の例を示す図。
【図３】同照明調光システムにおける蛍光灯照明器具、白熱灯照明器具、及びＬＥＤ照明器具の調光信号のオンデューティに対する光出力の関係を示す図。
【図４】同照明調光システムにおける調光装置のテーブルに格納された調光信号の回数と異常種別の対応を示す図。
【図５】同照明調光システムにおける蛍光灯照明器具のブロック図。
【図６】同照明調光システムにおける蛍光灯照明器具のスイッチ部のブロック図。
【図７】同照明調光システムにおける調光装置のテーブルに格納された異常種別と動作インターバルの対応を示す図。
【図８】同照明調光システムにおける調光装置の動作開始タイミングと状態信号の出力タイミングとトランジスタオン信号の出力タイミング及び調光信号の態様を示す図。
【図９】同照明調光システムにおける白熱灯照明器具のブロック図。
【図１０】同照明調光システムにおけるＬＥＤ照明器具のブロック図。
【図１１】本発明の第２の実施形態に係る照明調光システムにおける蛍光灯照明器具のブロック図。
【図１２】同照明調光システムにおける調光装置の動作開始タイミングと状態信号の出力タイミングとトランジスタオン信号の出力タイミング及び短絡電流の態様を示す図。
【図１３】本発明の第３の実施形態に係る照明調光システムにおける蛍光灯照明器具のブロック図。
【図１４】同照明調光システムにおける調光装置の動作開始タイミングと状態信号の出力タイミングとトランジスタオン信号の出力タイミング及び調光信号の態様を示す図。
【図１５】同照明調光システムにおける鈍りを付与された調光信号を示す図。
【符号の説明】
【００４２】
１  照明調光システム
２  調光装置
２３  判別部
２６  カウンタ部
３１  蛍光灯（光源）
３２  点灯回路
３３  状態検出部
３８  スイッチ部
４１  白熱灯（光源）
４５  テーブル
５１  ＬＥＤ（光源）
５２  抵抗部
５３  コンデンサ部
Ｉ  動作インターバル
Ｌ１、Ｌ２、Ｌ３、Ｌ４  調光信号線
Ｌｓ  短絡路
Ｆａ、Ｆｂ  蛍光灯照明器具（照明器具）
Ｒ  白熱灯照明器具（照明器具）
Ｅ  ＬＥＤ照明器具（照明器具）
Ｓ  調光信号
【図１】
0004853421.tif 000002
【図２】
0004853421.tif 000003
【図３】
0004853421.tif 000004
【図４】
0004853421.tif 000005
【図５】
0004853421.tif 000006
【図６】
0004853421.tif 000007
【図７】
0004853421.tif 000008
【図８】
0004853421.tif 000009
【図９】
0004853421.tif 000010
【図１０】
0004853421.tif 000011
【図１１】
0004853421.tif 000012
【図１２】
0004853421.tif 000013
【図１３】
0004853421.tif 000014
【図１４】
0004853421.tif 000015
【図１５】
0004853421.tif 000016